(57)【特許請求の範囲】
【請求項１】
浴槽の側壁に設けた貫通孔に挿通されるスリーブと、このスリーブの浴槽内側先端に設けた循環口本体と、前記スリーブの浴槽外に突出する部分に外嵌状に取付けられる外部ケースとからなり、前記循環口本体は、温湯吸入用通路と温湯吐出用通路を有すると共に、前面に温湯吸入用通路と連通する温湯吸入口と、外周面に温湯吐出用通路と連通する温湯吐出口を設けた仕切り部材と、この仕切り部材の前面から周囲を覆うように取付ける着脱自在のフィルター部材で構成されている浴槽用循環接続具において、
上記仕切り部材の前面とフィルター部材の相対向する面の何れか一方に、フィルター部材と仕切り部材の取付け時に、相対向する他方の面へ弾力的に圧接する弾性当接部を設けたことを特徴とする浴槽用循環接続具。
【請求項２】
上記弾性当接部は、フィルター部材の前壁における中央部に設けられ、この弾性当接部が、前壁に設けた弾性板と、この弾性板から内側に向けて突出する突起で形成されている請求項１に記載の浴槽用循環接続具。
【請求項３】
上記弾性当接部の弾性板と突起が、フィルター部材を形成する合成樹脂でフィルター部材と一体的に形成され、この弾性板が内側に向けて湾曲することで背面側に空所が形成されている請求項１又は２に記載の浴槽用循環接続具。
【発明の詳細な説明】
【技術分野】
【０００１】
この発明は、浴槽とその外部に設置される強制循環式給湯器を接続し、給湯器での温湯を浴槽に対して吐出すると共に、浴槽内の温湯を吸い込んで強制循環させるために用いる浴槽用循環接続具に係り、更に詳しくは、接続具本体の前面に取付けられた仕切り部材と、この仕切り部材の前面から周囲を覆うフィルター部材の取付け構造に関する。
【背景技術】
【０００２】
図６のように、浴槽１の側壁に取り付け、浴槽１とその外部に設置される強制循環式給湯器２を接続し、温湯を吐出及び吸込んで浴槽１と給湯器２の間で強制循環させるための浴槽用循環接続具３は、例えば、図７に示すように、浴槽１の側壁に設けた貫通孔に挿通されるスリーブ４と、このスリーブ４の浴槽内側先端に設けた循環口本体５と、前記スリーブ４の浴槽外に突出する部分に外嵌状に取付けられ、往き配管の接続管６と戻り配管の接続管７を有する外部ケース８とからなり、スリーブ４のフランジと外部ケース８で浴槽１の側壁を挟み込むことにより取り付けられる。
【０００３】
上記循環口本体５は、温湯吸入用通路９と温湯吐出用通路１０を有すると共に、前面に温湯吸入用通路９と連通する温湯吸入口１１と、外周面に温湯吐出用通路１０と連通する温湯吐出口１２を設けた仕切り部材１３と、この仕切り部材１３の前面から周囲を覆うように取付ける着脱自在のフィルター部材１４で構成されている。
【０００４】
上記仕切り部材１３は略円盤状となり、この仕切り部材１３の吸入口１１には、内側の位置に逆止弁１５が設けられ、吐出口１２は仕切り部材１３の外周で下部の位置で開口していると共に、上記フィルター部材１４は、仕切り部材１３の前面を覆う前壁１４ａの外周に仕切り部材１３の外周に外嵌する周壁１４ｂを設けて形成され、前記前壁１４ａは金網等による通水性のある濾過壁になっている。
【０００５】
従来、上記のようなフィルター部材１４を仕切り部材１３に対して取付けるための取付け構造は、図８に示すように、仕切り部材１３の外周面に、前面側で開放して途中から周方向に屈曲する複数の係止溝１６を設け、フィルター部材１４の周壁１４ｂにおける内面に前記係止溝１６に対応する配置で複数の係合突起１７を設け、フィルター部材１４を仕切り部材１３に嵌め込んで係合突起１７を係止溝１６の軸方向の部分に嵌め合わせ、この後フィルター部材１４を周方向に回転させると、係合突起１７が係止溝１６の周方向の部分の内端に係合し、フィルター部材１４と仕切り部材１３は軸方向に固定化される。
【０００６】
また、フィルター部材１４を取外す場合は、上記とは逆に、仕切り部材１３に対してフィルター部材１４を周方向に回転させた後、軸方向に抜き取ればよい。
【０００７】
上記のような嵌め合わせと回転によるフィルター部材１４の取付け構造において、固定完了時にクリック感が得られるように、係止溝１６の周方向の部分の途中の位置に、係合突起１７が弾力的に通過する突部１８を設け、上記フィルター部材１４の前壁１４ａにおける内面側で中央位置に、仕切り部材１３の前面に当接する突起１９を設け、フィルター部材１４と仕切り部材１３の嵌合わせ作業時に、合成樹脂の弾性を利用して、係合突起１７が突部１８を通過した時にクリック感が発生するようにしている。
【０００８】
上記フィルター部材１４の中央位置に形成した突起１９は、仕切り部材１３とフィルター部材１４の嵌合わせ作業時に、フィルター部材１４と仕切り部材１３に合成樹脂の弾性を利用して軸方向の抵抗を生じさせ、これによって、仕切り部材１３へのフィルター部材１４の嵌合わせ時に上記クリック感が発生するようにして、嵌め合わせ完了が確認できるようにするものである（例えば、特許文献１参照）。
【特許文献１】特開２００４−６１０２２号公報
【発明の開示】
【発明が解決しようとする課題】
【０００９】
ところで、上記のようなフィルター部材１４の中央位置に形成した従来の突起１９では、仕切り部材１３とフィルター部材１４の嵌合わせの際、仕切り部材１３に前記フィルター部材１４の中央位置の突起１９を当接させながら、更にフィルター部材１４を押し込むことにより、作業時にフィルター部材１４と仕切り部材１３そのものの合成樹脂の弾性を利用して軸方向の抵抗を生じさせるものであるため、フィルター部材１４の押し込み量が制限され、そのため、突起１９の突出量を大きくできず、得られるクリック感は満足なものではなかった。
【００１０】
また、フィルター部材１４は清掃のため頻繁に脱着されるので、特にフィルター部材１４に力が加わることにより、経年的にフィルター部材１４が変形し、フィルター部材１４を正常に嵌め合わせることができない事態が発生する。
【００１１】
更に、フィルター部材１４が、図７のように、外枠２０と内枠２１及びその間に挟まれた金網２２で構成されているものでは、フィルター部材１４の変形で外枠２０と内枠２１間に隙間が発生し、見栄えが悪くなるという事態の発生も予想される。
【００１２】
そこで、この発明の課題は、仕切り部材とフィルター部材の嵌合わせの際、仕切り部材に当接させる前記フィルター部材の突起にバネ性を付与し、この突起のバネ力により、仕切り部材とフィルター部材の嵌合わせの際、係合突起が突部を通過した時のクリック感が大きくなり、また、仕切り部材とフィルター部材の嵌合わせ時は、専ら突起が弾性移動するため、特に、フィルター部材に力が加わることによる経年変化が軽減できる浴槽用循環接続具を提供することにある。
【課題を解決するための手段】
【００１３】
上記のような課題を解決するため、この発明は、浴槽の側壁に設けた貫通孔に挿通されるスリーブと、このスリーブの浴槽内側先端に設けた循環口本体と、前記スリーブの浴槽外に突出する部分に外嵌状に取付けられる外部ケースとからなり、前記循環口本体は、温湯吸入用通路と温湯吐出用通路を有すると共に、前面に温湯吸入用通路と連通する温湯吸入口と、外周面に温湯吐出用通路と連通する温湯吐出口を設けた仕切り部材と、この仕切り部材の前面から周囲を覆うように取付ける着脱自在のフィルター部材で構成されている浴槽用循環接続具において、上記仕切り部材の前面とフィルター部材の相対向する面の何れか一方に、フィルター部材と仕切り部材の取付け時に、相対向する他方の面へ弾力的に圧接する弾性当接部を設けた構成を採用したものである。
【００１４】
上記弾性当接部は、フィルター部材の前壁における中央部に設けられ、この弾性当接部が、前壁に設けた弾性板と、この弾性板から内側に向けて突出する突起で形成されているようにしたり、弾性当接部の弾性板と突起が、フィルター部材を形成する合成樹脂でフィルター部材と一体的に形成され、この弾性板が内側に向けて湾曲することで背面側に空所が形成されている構造とすることができる。
【発明の効果】
【００１５】
この発明によると、仕切り部材とフィルター部材の嵌合わせの際、仕切り部材に当接させる前記フィルター部材の突起にバネ性を付与したので、この突起のバネ力により、仕切り部材とフィルター部材の嵌合わせの際、係止溝の周方向の部分に設けた突部を係合突起が通過した時のクリック感が大きくなり、嵌合わせ完了の確認が確実に得られることになる。
【００１６】
また、仕切り部材とフィルター部材の嵌合わせ時は、専ら突起だけが弾性変形するため、特に、フィルター部材に力が加わることによる経年変化が軽減でき、仕切り部材に対してフィルター部材を正常に嵌め合わせることができる。
【００１７】
更に、フィルター部材に力が加わることによる経年変化が軽減できるので、フィルター部材が、外枠と打枠及びその間に挟まれた金網で構成されている場合、フィルター部材の変形で内外枠体間に隙間が発生することで見栄えが悪くなるという事態の発生を防止することができる。
【発明を実施するための最良の形態】
【００１８】
以下、この発明の実施の形態を図示例と共に説明する。なお、図６乃至図８で示した従来例と同一部分には同一符号を付して説明する。
【００１９】
図６で示したように、浴槽用循環接続具３は、浴槽１の側壁に設けた貫通孔に挿通されるスリーブ４と、このスリーブ４の浴槽１内側先端に設けた循環口本体５と、前記スリーブ４の浴槽１外に突出する部分に外嵌状に取付けられる外部ケース８とからなり、スリーブ４のフランジと外部ケース８で浴槽１の側壁を挟み込むことにより取り付けられる。
【００２０】
上記循環口本体５は、温湯吸入用通路９と温湯吐出用通路１０を有すると共に、前面に温湯吸入用通路９と連通する温湯吸入口１１と、外周面に温湯吐出用通路１０と連通する温湯吐出口１２を設けた仕切り部材１３と、この仕切り部材１３の前面から周囲を覆うように取付ける着脱自在のフィルター部材１４で構成されている。
【００２１】
上記仕切り部材１３は、合成樹脂を用いて略円盤状に形成され、その吸入口１１には、内側の位置に逆止弁１５が設けられ、吐出口１２は仕切り部材１３の外周で下部の位置で開口していると共に、上記フィルター部材１４は、仕切り部材１３の前面を覆う前壁１４ａの外周に仕切り部材１３の外周に外嵌する周壁１４ｂを設けて形成され、前記前壁１４ａは金網等による通水性のある濾過壁になっている。
【００２２】
上記フィルター部材１４の周壁１４ｂには、仕切り部材１３の温湯吐出口１２と一致する温湯吐出口１２ａが設けられ、図１に示す第１の実施の形態のフィルター部材１４は、金属製の外枠２０と合成樹脂を用いた内枠２１及びその間に挟まれた金網２２で形成されている。
【００２３】
上記のようなフィルター部材１４を仕切り部材１３に対して取付けるための取付け構造は、図４（ａ）のように、仕切り部材１３の外周面に、前面側で開放して途中から周方向に屈曲する複数のＬ字形の係止溝１６を設け、フィルター部材１４の周壁１４ｂにおける内枠２１の内周面に前記係止溝１６に対応する配置で複数の係合突起１７を設け、図４（ｂ）のように、フィルター部材１４を仕切り部材１３に嵌め込んで係合突起１７を係止溝１６の軸方向の部分１６ａに嵌合わせ、この後フィルター部材１４を周方向に回転させると、図４（ｅ）のように、係合突起１７が係止溝１６の周方向の部分１６ｂの内端に係止し、フィルター部材１４と仕切り部材１３は軸方向に固定化される。
【００２４】
上記のような嵌め合わせと回転によるフィルター部材１４の取付け構造において、固定完了時にクリック感が得られるように、係止溝１６の周方向の部分の途中の位置に、係合突起１７が弾力的に通過する突部１８を設け、上記フィルター部材１４の前壁１４ａにおける内面側で中央位置に、仕切り部材１３の前面に弾力的に圧接する弾性当接部２３を設け、フィルター部材１４と仕切り部材１３の嵌合わせ作業時に、合成樹脂の弾性を利用して、係合突起１７が突部１８を通過した時にクリック感が発生するようになっている。
【００２５】
上記弾性当接部２３は、図１乃至図５のように、フィルター部材１４の内枠２１における前壁の中央部に設けられ、この弾性当接部２３が、内枠２１の前壁に施した二条のスリット２４間に位置し、フィルター部材１４の内枠２１を形成する合成樹脂でフィルター部材１４と一体的に形成され弾性板２５と、この弾性板２５から内側に向けて突出する突起２６で形成され、前記弾性板２５は内側に向けて突出するよう湾曲することで背面側に空所２７が形成され、突起２６は弾性板２５で軸方向の弾力性が与えられることになる。
【００２６】
ここで、浴槽用循環接続具３は、仕切り部材１３の通路構成が、極性のあるものでも無極性の何れでもよく、また、フィルター部材１４は、外枠２０と内枠２１及びその間に挟まれた金網２２の三層構造以外に、図２に示す第２の実施の形態のように、前面に多数の孔を設けた外枠２０と内枠２１の組み合わせや、図示省略したが、一枚の板体を用いその前壁に多数の孔を設けた一枚ものや、内枠体に網体を一体成形したもの等を用いることができる。
【００２７】
また、上記弾性当接部２３は、図示例とは逆に仕切り部材１３の前面に設けるようにすることができ、この弾性当接部２３は、フィルター部材１４又は仕切り部材１３と一体成形したもの以外に別成形品を取付けるようにしてもよく、更に、弾性板２５は図示のような樹脂製とは別に金属製のバネ板を採用してもよい。
【００２８】
この発明の浴槽用循環接続具３は、上記のような構成であり、仕切り部材１３に対してフィルター部材１４を取付けるには、フィルター部材１４を仕切り部材１３に嵌込んで係合突起１７を係止溝１６の軸方向の部分１６ａに嵌合わせ、フィルター部材１４に設けた弾性当接部２３の突起２６を仕切り部材１３の前面に当接させ（図４（ｂ））、この後フィルター部材１４を周方向に回転させると、係合突起１７が係止溝１６の周方向の部分１６ｂの内端に係止し、フィルター部材１４と仕切り部材１３は軸方向に固定化される。
【００２９】
上記のような嵌め合わせと回転によるフィルター部材１４の取付時において、フィルター部材１４を周方向に回転させると、係合突起１７は係止溝１６の周方向の入口部分の端部に設けた誘導傾斜面１６ｃから係止溝１６の周方向の部分１６ｂの内部に引き込まれることで、フィルター部材１４に軸方向の動きが付加され、これによって弾性当接部２３の弾性板２５が押されることで、フィルター部材１４に仕切り部材１３から離反する方向の弾性が付与される（図４（ｃ））。
【００３０】
係止溝１６には、周方向の部分の途中の位置に、係合突起１７が弾力的に通過する突部１８が設けてあるので、係合突起１７が係止溝１６の周方向に移動すると、この係合突起１７は突部１８を弾力的に通過することで弾性板の弾性を利用して軸方向の抵抗を生じ（図４（ｄ））、係合突起１７が突部１８を通過して係止溝１６の周方向内端に対し、弾性板２５の弾性によって弾力的に落ち込み、これによって、大きなクリック感が発生し嵌め合わせ完了が確認できることになる（図４（ｅ））。
【００３１】
また、フィルター部材１４を取外す場合は、上記とは逆に、仕切り部材１３に対してフィルター部材１４を周方向に回転させた後、軸方向に抜き取ればよい。
【図面の簡単な説明】
【００３２】
【図１】この発明の浴槽用循環接続具における仕切り部材とフィルター部材の第１の実施の形態を示す分解斜視図
【図２】この発明の浴槽用循環接続具におけるフィルター部材の第２の実施の形態を示す分解斜視図
【図３】この発明の浴槽用循環接続具を示す要部の拡大縦断側面図
【図４（ａ）】仕切り部材に対するフィルター部材の取付け前の状態を示す平面図
【図４（ｂ）】仕切り部材に対してフィルター部材を軸方向に嵌め込んだ横断平面図
【図４（ｃ）】フィルター部材を周方向に回転させた初期の状態を示す横断平面図
【図４（ｄ）】フィルター部材を周方向に回転させた途中の状態を示す横断平面図
【図４（ｅ）】フィルター部材を周方向に回転させた結合完了状態を示す横断平面図
【図５（ａ）】仕切り部材に対してフィルター部材を軸方向に嵌込んだ状態の縦断背面図
【図５（ｂ）】フィルター部材を周方向に回転させた途中の状態を示す縦断背面図
【図５（ｃ）】フィルター部材を周方向に回転させた結合完了状態を示す縦断背面図
【図６】浴槽用循環接続具の使用状態を示す縦断面図
【図７】従来の浴槽用循環接続具を示す縦断側面図
【図８】従来の浴槽用循環接続具におけるフィルター部材の仕切り部材に対する取付け前の状態を示す平面図
【符号の説明】
【００３３】
１        浴槽
２        強制循環式給湯器
３        浴槽用循環接続具
４        スリーブ
５        循環口本体
６        往き配管の接続管
７        戻り配管の接続管
８        外部ケース
９        温湯吸入用通路
１０      温湯吐出用通路
１１      温湯吸入口
１２      温湯吐出口
１３      仕切り部材
１４      フィルター部材
１５      逆止弁
１６      係止溝
１７      係合突起
１８      突部
１９      突起
２０      外枠
２１      内枠
２２      金網
２３      弾性当接部
２４      スリット
２５      弾性板
２６      突起
２７      空所
【図１】
0004773793.tif 000002
【図２】
0004773793.tif 000003
【図３】
0004773793.tif 000004
【図４（ａ）】
0004773793.tif 000005
【図４（ｂ）】
0004773793.tif 000006
【図４（ｃ）】
0004773793.tif 000007
【図４（ｄ）】
0004773793.tif 000008
【図４（ｅ）】
0004773793.tif 000009
【図５（ａ）】
0004773793.tif 000010
【図５（ｂ）】
0004773793.tif 000011
【図５（ｃ）】
0004773793.tif 000012
【図６】
0004773793.tif 000013
【図７】
0004773793.tif 000014
【図８】
0004773793.tif 000015